(57)【要約】  光学照準器が提供される。この光学照準器は、ハウジングと、ハウジングによって支持されるくさび形ダブレット対物レンズと、を具備することができる。くさび形ダブレット対物レンズは、第１の量のウェッジを有する第１のレンズと、第１の量のウェッジとは異なる第２の量のウェッジを有する第２のレンズとを含むことができる。【選択図】図１
2014528051.tif 000002
【特許請求の範囲】
【請求項１】
光学照準器であって、
ハウジングと、
前記ハウジングによって支持され、かつ第１の量のウェッジを有する第１のレンズと、該第１の量のウェッジとは異なる第２の量のウェッジを有する第２のレンズとを含む、くさび形ダブレット対物レンズと、
を具備する、光学照準器。
【請求項２】
前記くさび形ダブレット対物レンズは球面レンズである、請求項１に記載の光学照準器。
【請求項３】
前記くさび形ダブレット対物レンズは非球面レンズである、請求項１に記載の光学照準器。
【請求項４】
前記第１のレンズは、前記第２のレンズとは異なる屈折率を有する、請求項１に記載の光学照準器。
【請求項５】
前記第１のレンズは、前記第２のレンズとは異なる材料から形成されている、請求項１に記載の光学照準器。
【請求項６】
前記第１のレンズは、前記第２のレンズとは異なる屈折率を有する、請求項５に記載の光学照準器。
【請求項７】
前記第１のレンズは第１の曲率半径を有し、前記第２のレンズは、前記第１の曲率半径とは異なる第２の曲率半径を有する、請求項６に記載の光学照準器。
【請求項８】
前記第１の曲率半径及び前記第２の曲率半径は、各々、前記ハウジングを通る光軸からずれている、請求項７に記載の光学照準器。
【請求項９】
前記第１のレンズは、光学接着剤を介して前記第２のレンズに取り付けられている、請求項１に記載の光学照準器。
【請求項１０】
前記光学接着剤は光学的に透明なセメントである、請求項９に記載の光学照準器。
【請求項１１】
前記第１のレンズ及び前記第２のレンズのうちの少なくとも一方は、該第１のレンズ及び該第２のレンズの接続部に反射コーティングを含む、請求項１０に記載の光学照準器。
【請求項１２】
前記第１のレンズ及び前記第２のレンズのうちの少なくとも一方は、該第１のレンズ及び該第２のレンズの接続部に反射コーティングを含む、請求項１に記載の光学照準器。
【請求項１３】
前記第１のレンズは第１の曲率半径を有し、前記第２のレンズは、前記第１の曲率半径とは異なる第２の曲率半径を有する、請求項１に記載の光学照準器。
【請求項１４】
前記第１の曲率半径及び前記第２の曲率半径は、各々、前記ハウジングを通る光軸からずれている、請求項１３に記載の光学照準器。
【請求項１５】
前記くさび形ダブレット対物レンズは、前記ハウジングの長手方向軸に対して角度をなして配置されている、請求項１に記載の光学照準器。
【請求項１６】
前記くさび形ダブレット対物レンズは、前記ハウジングに対して前記長手方向軸に沿って選択的に並進可能である、請求項１５に記載の光学照準器。
【請求項１７】
前記くさび形ダブレット対物レンズは、前記ハウジングの長手方向軸に沿って並進可能である、請求項１に記載の光学照準器。
【請求項１８】
光学照準器であって、
ボアを有するハウジングと、
前記ハウジング内に配置され、かつ該ハウジングと協働して内部空間を画定する光学列と、
前記ボアを介して前記内部空間と流体連通するポートと、
前記ポート内に配置された封止部材であって、前記内部空間から前記ボアを介して流体を注入するか又は排出するように器具が該封止部材を通過するのを可能にし、かつ前記器具が取り除かれるときに前記ポートを自動的に封止するように動作可能な封止部材と、
を具備する、光学照準器。
【請求項１９】
前記ポートは、ねじ切り締結具を選択的に収めるように動作可能な一連のねじ山を有し、前記封止材料は、前記ねじ切り締結具によって前記ポート内にかつ前記ボアの開口部に隣接して保持されている、請求項１８に記載の光学照準器。
【請求項２０】
前記封止部材は、前記器具が取り除かれるときに前記封止部材が前記ボアを自動的に封止することを可能にする弾性材料から形成されている、請求項１８に記載の光学照準器。
【請求項２１】
前記弾性材料はブタジエンアクリロニトリルゴムである、請求項２０に記載の光学照準器。
【請求項２２】
前記封止部材は、弾性材料から形成されたボールである、請求項１８に記載の光学照準器。
【請求項２３】
前記ボアは、前記内部空間と前記ポートとの間に延在している、請求項１８に記載の光学照準器。
【請求項２４】
前記ポートは、前記ボアより直径が大きい、請求項２３に記載の光学照準器。
【請求項２５】
前記封止部材は、前記ポート内に収められる締結具によって前記ボアの開口部と接触して保持されている、請求項２３に記載の光学照準器。
【請求項２６】
前記締結具は、該締結具が前記ポート内に設置されると、前記器具が選択的に前記ポート内に入り前記封止部材を通過するのを可能にするように動作可能であるボアを有する、請求項２５に記載の光学照準器。
【請求項２７】
前記締結具が、前記ポート内にねじ込み式に保持されている、請求項２５に記載の光学照準器。
【請求項２８】
光学照準器であって、
ハウジングと、
前記ハウジングによって支持される光学列と、
前記光学列の照準点を選択的に表示するように動作可能な照明装置と、
光電池及びバッテリを含む電源であって、該電源は、前記照明装置が前記照準点を生成する際に使用するように、前記光電池及び前記バッテリのうちの少なくとも１つから前記
照明装置に選択的に電力を供給し、前記照明装置は、前記バッテリから電力を供給する前に前記光電池から利用可能なだけの電力を提供する、電源と、
を具備する、光学照準器。
【請求項２９】
前記照明装置は、前記光電池からの電力が該照明装置によって必要とされる要求電圧を下回るまで前記光電池から電力を供給する、請求項２８に記載の光学照準器。
【請求項３０】
前記照明装置は、前記光電池からの前記電力が前記要求電圧を下回ると、前記光電池によって供給される前記電力を補充するように前記バッテリから電力を供給する、請求項２９に記載の光学照準器。
【請求項３１】
光学照準器であって、
長手方向軸を有するハウジングと、
前記ハウジングによって支持されかつ少なくとも１つのレンズを含む光学列と、
前記ハウジング内に配置され、かつ前記長手方向軸に沿って前記ハウジングに対して選択的に移動可能な第１のカラーであって、該第１のカラーが前記ハウジングに対して移動すると、前記長手方向軸に沿って前記少なくとも１つのレンズの位置を調整するように前記ハウジングに対して前記少なくとも１つのレンズを移動させるように動作可能な第１のカラーと、
を具備する、光学照準器。
【請求項３２】
前記第１のカラーは、前記ハウジングにねじ込み式に取り付けられ、かつ前記ハウジングに対して該第１のカラーを回転させることによって前記長手方向軸に沿って移動する、請求項３１に記載の光学照準器。
【請求項３３】
前記少なくとも１つのレンズは、前記ハウジング内に摺動可能に支持され、かつ前記第１のカラーが前記ハウジングに対して回転すると該第１のカラーとともに移動する、請求項３２に記載の光学照準器。
【請求項３４】
前記少なくとも１つのレンズは、レンズハウジングによって前記ハウジング内に摺動可能に支持されている、請求項３３に記載の光学照準器。
【請求項３５】
前記レンズハウジングは、前記第１のカラーが前記ハウジングに対して移動すると、前記第１のカラーが前記少なくとも１つのレンズを前記長手方向軸に沿って移動させるのを可能にするように、該第１のカラーと当接関係にある、請求項３４に記載の光学照準器。
【請求項３６】
前記ハウジング内に、かつ前記レンズハウジングと選択的に係合して配置された第２のカラーを更に具備し、該第２のカラーは、前記レンズハウジングの前記第１のカラーとは反対側の端部と接触して、前記第１のカラーと前記第２のカラーとの間で前記少なくとも１つのレンズを位置決めする、請求項３４に記載の光学照準器。
【請求項３７】
前記第２のカラーは、該第２のカラーが前記ハウジングに対して回転するときに該第２のカラーが前記長手方向軸に沿って移動するのを可能にするように、前記ハウジングにねじ込み式に取り付けられている、請求項３６に記載の光学照準器。
【請求項３８】
前記レンズハウジングは、前記第１のカラー及び前記第２のカラーが該レンズハウジングに接触するときに前記長手方向軸に沿って移動しないように制限されている、請求項３６に記載の光学照準器。
【請求項３９】
前記長手方向軸に沿って選択的に移動可能であり、かつ該長手方向軸に沿って前記少な
くとも１つのレンズの位置を固定するように動作可能な第２のカラーを更に具備する、請求項３１に記載の光学照準器。
【請求項４０】
前記少なくとも１つのレンズは、レンズハウジングによって前記ハウジング内に支持されている、請求項３１に記載の光学照準器。
【請求項４１】
前記第１のカラーは、前記長手方向軸に沿った前記第１のカラーの移動により、前記長手方向軸に沿った前記レンズハウジング及び前記少なくとも１つのレンズの移動をもたらすように、前記レンズハウジングに接触している、請求項４０に記載の光学照準器。
【請求項４２】
前記ハウジング内に配置され、かつ前記第１のレンズハウジングの前記第１のカラーとは反対側に位置決めされた第２のカラーを更に具備する、請求項４１に記載の光学照準器。
【請求項４３】
前記第２のカラーは、前記長手方向軸に沿った前記レンズハウジング及び前記少なくとも１つのレンズの移動を制限するように前記レンズハウジングと選択的に係合する、請求項４２に記載の光学照準器。
【請求項４４】
前記第１のカラー及び前記第２のカラーは、前記長手方向軸に沿った前記レンズハウジング及び前記少なくとも１つのレンズの移動を制限するように該レンズハウジングの反対側の端部と係合する、請求項４２に記載の光学照準器。
【請求項４５】
前記少なくとも１つのレンズはくさび形ダブレット対物レンズである、請求項３１に記載の光学照準器。
【請求項４６】
光学照準器であって、
ハウジングと、
前記ハウジングによって支持された少なくとも１つの光学系と、
前記少なくとも光学系に対して実質的に垂直な方向において該少なくとも１つの光学系に向かって光を向けることにより、照準点を生成するように動作可能な照明装置と、
前記ハウジング内で前記照明装置を支持し、かつ前記少なくとも１つの光学系に対して実質的に平行な第１の方向において前記ハウジングに対して移動可能な調整器ブロックと、
を具備する、光学照準器。
【請求項４７】
前記照明装置は、前記ハウジングに対して前記調整器ブロックによって摺動可能に支持されている、請求項４６に記載の光学照準器。
【請求項４８】
前記照明装置は、前記第１の方向において前記調整器ブロックと移動するように固定され、かつ第２の方向において前記調整器ブロックに対して移動可能である、請求項４７に記載の光学照準器。
【請求項４９】
前記第２の方向は、前記ハウジングの長手方向軸に対して実質的に垂直である、請求項４８に記載の光学照準器。
【請求項５０】
前記第２の方向は、前記ハウジングの背面に対して実質的に平行である、請求項４８に記載の光学照準器。
【請求項５１】
前記第２の方向は、前記第１の方向に対して実質的に垂直である、請求項４８に記載の光学照準器。
【請求項５２】
前記調整器ブロックは、前記照明装置を支持する第１の端部と、前記ハウジングに動作可能に取り付けられた第２の端部とを有する、請求項４６に記載の光学照準器。
【請求項５３】
前記第１の端部と前記第２の端部との間に配置された付勢部材を更に具備する、請求項５２に記載の光学照準器。
【請求項５４】
前記付勢部材は、前記第１の方向に対して実質的に平行な方向において前記調整器ブロックに力を加える、請求項５３に記載の光学照準器。
【請求項５５】
前記付勢部材は、前記調整器ブロックに形成された止りボア内に収められている、請求項５３に記載の光学照準器。
【請求項５６】
前記第２の端部は、内部に調整ねじを収めるねじ切りボアを有し、前記調整ねじは、該調整ねじが前記ハウジングに対して回転するときに前記第１の方向において前記ハウジングに対して前記調整器ブロックを選択的に移動させるように動作可能である、請求項５２に記載の光学照準器。
【請求項５７】
前記ハウジングによって支持されかつ前記第１の方向において前記調整器ブロックの移動を案内するように動作可能な一対のスライダーブロックを更に具備する、請求項４６に記載の光学照準器。
【請求項５８】
前記一対のスライダーブロックは、各々、内部に調整ねじを収めるねじ切り穴を有し、前記調整ねじは、該調整ねじが前記ハウジングに対して回転するときに前記第１の方向に対して垂直な第２の方向において前記スライダーブロックを移動させるように動作可能である、請求項５７に記載の光学照準器。
【請求項５９】
前記第２の方向における前記スライダーブロックの移動により、前記調整器ブロックに対する前記第２の方向における前記照明装置に移動をもたらす、請求項５８に記載の光学照準器。
【請求項６０】
前記スライダーブロックの対は、各々、前記第１の方向における前記照明装置の移動を案内する溝を有している、請求項５７に記載の光学照準器。
【発明の詳細な説明】
【技術分野】
【０００１】
本開示は、光学照準器、特に反射照準器に関する。
【０００２】
［関連出願の相互参照］
本出願は、２０１２年８月１６日に出願された米国通常特許出願第１３／５８７１９０号に対する優先権を主張し、２０１１年９月２日に出願された米国仮特許出願第６１／５３０６１８号の利益を主張する。上記出願の全開示内容は、引用することにより本明細書の一部をなす。
【背景技術】
【０００３】
本項は本開示に関する背景情報を提示するものであり、必ずしも従来技術であるとは限らない。
【０００４】
光学照準器（ｏｐｔｉｃａｌ  ｓｉｇｈｔ）は、通常、火器（ｆｉｒｅａｒｍ）とともに使用されて、射手が火器の銃身の所望の目標物に適切に位置合せするのに役立つ。目標物に対して火器の銃身を適切に位置合せすることにより、火器から発射される弾丸が所望の位置で目標物に衝突する。従来の光学照準器は、通常、火器の上面に取り付けられ、射手が目標物に対して光学照準器、したがって火器の銃身を位置合せする際に使用する照準点を有している。こうした照準点を、射手が目標物に対して光学照準器及び火器を迅速にかつ正確に位置合せするのに更に役立つように照明することができる。
【０００５】
光学照準器は、種々の火器と使用することができ、したがって、特定の火器及び／又は用途に応じて種々の機能を提供することができる。例えば、狙撃兵によって使用されるためにライフル銃に取り付けられた光学照準器は、通常、射手が目標物から遠く離れた場所に配置されるのを可能にするように目標物を拡大するように構成されている。こうした光学照準器は、通常、目標物を適切に拡大することができる光学列（ｏｐｔｉｃｓ  ｔｒａｉｎ）を収容するために幾分か長尺である。さらに、こうした光学照準器は、通常、目標物に対して光学照準器及び火器を適切に位置合せするために十分な時間がある射手によって使用されるように設計されている。
【０００６】
他の光学照準器は、近距離目標状況で使用されるように設計されており、したがって、小型であり、射手が光学照準器及び火器を目標物に迅速に照準合わせするのを可能にするように設計されている。１つのこうした光学照準器は、いわゆる反射照準器（ｒｅｆｌｅｘ  ｓｉｇｈｔ）であり、射手に対して火器の高速目標物捕捉及び照準を提供することにより、近距離目標状況で有用である。こうした反射照準器は、通常、例えば狙撃兵のライフル銃で使用される光学照準器より小型であり、それにより、火器への他のシステム（すなわち、レーザーポインター、測距装置等）の取付けを可能にし、結合された火器及び光学照準器の全体的なサイズ及び重量を低減する。さらに、こうした反射照準器は、射手の状況認識を低下させることなく射手が目標物に対して光学照準器及び火器を迅速に位置決めすることができるようにする視野を提供する。
【０００７】
従来の反射照準器は、射手が目標物に対して火器を位置合せする際に使用する照準点を適切に提供するが、広い（すなわち、およそ２２ミリメートルより大きい開口径を有する）視野を提供することができない。なぜなら、そうするためには、従来の反射照準器は通常、反射照準器に関連する光学列が長尺になる必要があり、それにより、反射照準器の全体的なサイズが増大するためである。通例の球面レンズによる視差を最小限にするように長い焦点距離を有する光路に提供するために、長尺の光学列が必要である。したがって、
反射照準器の製造業者は、全て視差を最小限にしながら、小型の反射照準器としたい欲求と広い視野を提供したい欲求とのバランスをとろうと試みている。
【発明の概要】
【発明が解決しようとする課題】
【０００８】
視野のサイズ、反射照準器の全体的なサイズ及び形状並びに視差の量に関する上述した制約に加えて、従来の反射照準器では、通常、１つ又は複数のバッテリが反射照準器に関連する照明装置に常に電力を供給する必要がある。照明装置に供給される電力は、照準点を照明するために使用され、通常１つ又は複数のバッテリからくる。従来の反射照準器は、通常、一定の使用で単一の電源（すなわち１つ又は複数のバッテリ）のみを組み込んでいるため、従来の反射照準器では、射手は照準器のバッテリを頻繁に交換する必要があり、それは、戦闘又は他の法執行状況では困難であることが多い。
【課題を解決するための手段】
【０００９】
本項は本開示の概要を提示しており、本開示の完全な範囲又はその特徴の全ての包括的な開示ではない。
【００１０】
光学照準器が提供される。本光学照準器は、ハウジングと、前記ハウジングによって支持されるくさび形ダブレット対物レンズ（ａ  ｗｅｄｇｅｄ，  ｄｏｕｂｌｅｔ  ｏｂｊｅｃｔｉｖｅ  ｌｅｎｓ）とを具備することができる。くさび形ダブレット対物レンズは、第１の量のウェッジ（ｗｅｄｇｅ）を有する第１のレンズと、該第１の量のウェッジとは異なる第２の量のウェッジを有する第２のレンズとを含むことができる。
【００１１】
別の構成において、光学照準器が提供される。本光学照準器は、ボア（ｂｏｒｅ）を有するハウジングと、光学列とを具備することができ、それにより該光学列は該ハウジングと協働して内部空間を画定する。ポート（ｐｏｒｔ）が前記ボアを介して前記内部空間と流体連通することができる。封止部材を、前記ポート内に配置することができ、該封止部材は、前記内部空間から前記ボアを介して流体を注入するか又は排出するように器具が該封止部材を通過するのを可能にし、かつ前記器具が取り除かれるときに前記ポートを自動的に封止するように動作可能とすることができる。
【００１２】
別の構成において、光学照準器が提供される。本光学照準器は、ハウジングと、前記ハウジングによって支持される光学列と、前記光学列の照準点を選択的に表示する照明装置とを具備することができる。光電池及びバッテリを含む電源が、前記照明装置が前記照準点を生成する際に使用するように、前記光電池及び前記バッテリのうちの少なくとも１つから前記照明装置に選択的に電力を供給することができる。前記照明装置は、前記バッテリから補充電力を提供する前に前記光電池から利用可能なだけの電力を提供する。
【００１３】
別の構成において、光学照準器が提供される。本光学照準器は、長手方向軸を有するハウジングと、前記ハウジングによって支持されかつ少なくとも１つのレンズを含む光学列と、前記ハウジング内に配置され、かつ前記長手方向軸に沿って前記ハウジングに対して選択的に移動可能な第１のカラー（ｃｏｌｌａｒ）とを具備することができる。前記第１のカラーは、該第１のカラーが前記ハウジングに対して移動すると、前記長手方向軸に沿って前記少なくとも１つのレンズの位置を調整するように前記ハウジングに対して前記少なくとも１つのレンズを移動させることができる。
【００１４】
別の構成において、光学照準器が提供される。本光学照準器は、ハウジングと、前記ハウジングによって支持された少なくとも１つの光学系（ｏｐｔｉｃ）と、前記少なくとも光学系に対して実質的に垂直な方向において該少なくとも１つの光学系に向かって光を向けることにより照準点を生成するように動作可能な照明装置とを具備することができる。
本光学照準器は、前記ハウジング内で前記照明装置を支持し、かつ前記少なくとも１つの光学系に対して実質的に平行な第１の方向において前記ハウジングに対して移動可能な調整器ブロックも具備することができる。
【００１５】
更なる適用分野は本明細書に提示される記載から明らかとなるであろう。本概要における記載及び特定の例は、例示目的のためだけに意図されており、本開示の範囲を限定することを意図しない。
【００１６】
本明細書に記載されている図面は、選択された実施形態の例示のみを目的としており、可能な実施態様の全てではなく、本開示の範囲を限定することを意図しない。
【図面の簡単な説明】
【００１７】
【図１】火器に取り付けられた本開示の原理による反射照準器の斜視図である。
【図２】図１の反射照準器の正面図である。
【図３】図１の反射照準器の背面図である。
【図４】図１の反射照準器の側面図である。
【図５】図２の線５−５に沿った図１の反射照準器の断面図である。
【図６】反射照準器の光路を示す図２の線６−６に沿った反射照準器の断面図である。
【図７】図１の反射照準器の組立分解図である。
【図８】図２の線８−８に沿った図１の反射照準器の部分断面図である。
【図９】図１の反射照準器の光学列の一部の断面図である。
【図１０】反射照準器の調整機構を示す図１の反射照準器の部分断面図である。
【００１８】
図面のいくつかの図を通して、対応する参照符号は対応する部分を示す。
【発明を実施するための形態】
【００１９】
例示的な実施形態は、本開示が完全なものとなるように、かつその範囲を当業者に十分に伝えるように提示される。特定の構成部材、装置及び方法の例のような多くの特定の詳細は、本開示の実施形態の完全な理解を与えるために記載される。特定の詳細を用いる必要はないこと、例示的な実施形態を多くの異なる形態で具現することができること、及び本開示の範囲を限定するものと解釈すべきではないことが、当業者には明らかであろう。幾つかの例示的な実施形態では、既知のプロセス、既知の装置構造、及び既知の技術は詳細には説明しない。
【００２０】
本明細書において用いられている術語は、特定の例示的な実施形態を説明することのみを目的としており、限定することを意図しない。本明細書において用いられる場合、単数形である"a"、"an"及び"the"は、文脈がそうではないことをはっきりと示していない限り複数形も含むことを意図することができる。「備える（“ｃｏｍｐｒｉｓｅｓ”，  “ｃｏｍｐｒｉｓｉｎｇ”）」、「含む（“ｉｎｃｌｕｄｉｎｇ”）」及び「有する（“ｈａｖｉｎｇ”）」は包括的であり、したがって、述べられている特徴、整数、ステップ、動作、要素及び／又は構成部材の存在を明示しており、１つ又は複数の他の特徴、整数、ステップ、動作、要素、構成部材及び／又はその群の存在又は追加を排除するものではない。本明細書に記載の方法ステップ、プロセス及び動作は、実施順序として具体的に明記されていない限り、説明又は例示されている特定の順序でのそれらの実施を必ずしも必要とするものと解釈すべきではない。付加的又は代替的なステップを用いることができることも理解すべきである。
【００２１】
或る要素又は層が別の要素又は層「の上にある（ｏｎ：に接している）」、「に係合」、「に接続」又は「に連結」されるものと言及されている場合、或る要素又は層は他の要
素又は層の直接上にあるか、直接係合、直接接続若しくは直接連結されることができるか、又は間に介在する要素若しくは層が存在する場合がある。逆に、或る要素が別の要素又は層「の直接上に」、「に直接係合」、「に直接接続」又は「に直接連結」されるものと言及されている場合、間に介在する要素又は層が存在する場合はない。要素間の関係を説明するのに用いられている他の語も同様に（例えば、「間に」対「直接間に」、「隣接した」対「直接隣接した」等）解釈すべきである。本明細書において用いられる場合、用語「及び／又は」は関連の列挙されたもののうちの１つ又は複数のいずれか及び全ての組み合わせを含む。
【００２２】
種々の要素、構成部材、領域、層及び／又はセクションを説明するのに第１の、第２の、第３の等の用語を本明細書において用いることができるが、これらの要素、構成部材、領域、層及び／又はセクションはこれらの用語によって限定されるべきではない。これらの用語は、或る要素、構成部材、領域、層又はセクションを別の領域、層又はセクションと区別するためだけに用いることができる。本明細書において用いられる場合の「第１の」、「第２の」及び他の数詞的な用語等の用語は、文脈によってはっきりと示されていない限り、或るシーケンスすなわち順序を示唆するものではない。したがって、以下に説明する第１の要素、構成部材、領域、層又はセクションは、例示的な実施形態の教示から逸脱することなく第２の要素、構成部材、領域、層又はセクションと呼ぶことができるであろう。
【００２３】
「内」、「外」、「下」、「下方」、「下側」、「上方」、「上側」等のような、空間的に相対的な用語は、図面に示されているように、或る要素又は特徴部の、別の要素（複数の場合もある）又は特徴部（複数の場合もある）に対する関係を説明するために、記載しやすくするために本明細書において用いることができる。空間的に相対的な用語は、図に示される向きに加え、使用時又は動作時の装置の異なる向きを含むことを意図することができる。例えば、図面の装置を逆さにした場合、他の要素又は特徴部の「下方」又は「下」として記載されている要素は、他の要素又は特徴部の「上方」の向きになる。したがって、「下方」という例示的な用語は上方及び下方の向きの双方を含むことができる。装置は別様の向きにある（９０度又は他の向きで回転されている）こともでき、本明細書において用いる空間的に相対的な記述はそれに従って解釈することができる。
【００２４】
図面を参照すると、反射照準器１０が提供されており、反射照準器１０は、ハウジング１２、光学列１４、照明系１６及び調整機構１８を備えることができる。ハウジング１２は、光学列１４、照明系１６及び調整機構１８が火器２０（図１）の上面２２に近接して配置されるように、火器２０に対して光学列１４、照明系１６及び調整機構１８を支持することができる。照明系１６は、光学列１４と協働して、射手が反射照準器１０を目標物（図示せず）と適切に位置合せするのに役立つように被照明照準点２４（図３）を提供することができる。調整機構１８を使用して、反射照準器１０が最初に火器２０に取り付けられたときに、ハウジング１２に対する照明系１６の位置、したがって反射照準器１０の視野２６（図３）内の被照明照準点２４の位置を選択的に調整することができる。
【００２５】
ハウジング１２は、第１の端部２８と、第２の端部３０と、第１の端部２８と第２の端部３０との間に概して画定された内部空間（ｖｏｌｕｍｅ）３２とを有することができる。ハウジング１２は、第１の端部２８と第２の端部３０との間に少なくとも部分的に延在する一連のねじ山３４を更に有することができる。第１の端部２８は、一連のねじ山３６を有することができ、第１のカラー３８を収めるとともに第２のカラー４０をねじ込み式に収めることができる。同様に、第２の端部３０は、カラー４４をねじ込み式に収める一連のねじ山４２を有することができる。詳細に後述するように、ハウジング１２の第１の端部２８に関連する第１のカラー３８及び第２のカラー４０とハウジング１２の第２の端部３０に関連するカラー４４とは、協働して、光学列１４のそれぞれの構成要素をハウジ
ング１２に対して保持し位置決めする。
【００２６】
ハウジング１２は、空洞４８を有する拡張部４６と、拡張部４６の後方傾斜面５２を通して形成された穴５０とを更に有することができる。空洞４８及び穴５０は、協働して、調整機構１８をハウジング１２に対して保持し位置決めすると同時に、調整機構１８がハウジング１２及び光学列１４に対して照明系１６の位置を選択的に調整するのを可能にすることができる。
【００２７】
ハウジング１２は、取り付けられると、火器２０の上面２２に対向するハウジング１２の底面５６に近接して開口部５４を有することができる。開口部５４は、内部に照明系１６の一部を収めることができ、拡張部４６の空洞４８と連通して、組立て中に調整機構１８の設置を可能にすることができる。照明系１６及び調整機構１８がハウジング１２内に適切に設置されると、一連の締結具６０を介してカバー５８をハウジング１２に取り付けることができる。
【００２８】
ハウジング１２にカバー５８を取り付ける前に、概してカバー５８とハウジング１２の底面５６との間にシール６２を配置することができ、それにより、シール６２は、ハウジング１２の底面５６内に形成されたポケット６４内に配置される。シール６２がハウジング１２のポケット６４内に設置されると、締結具６０を、カバー５８の穴６６に挿入することができ、ハウジング１２の穴６８（図示せず）内にねじ込み式に収めて、カバー５８をハウジング１２に固定することができる。
【００２９】
締結具６０のカバー５８及びハウジング１２の穴６８（図示せず）に対する回転により、カバー５８が概してハウジング１２に向かって移動し、それによりシール６２をカバー５８とハウジング１２との間で圧縮することができる。図５及び図６に示すように、シール６２が十分に圧縮され及び／又はカバー５８の表面７０がハウジング１２の底面５６と実質的に同一平面になるまで、締結具６０を締め付けることができる。カバー５８の表面７０を、ハウジング１２の底面５６と実質的に同一平面であるものとして説明するが、カバー５８の表面７０は、ハウジング１２の底面５６から突出するか又は引っ込むことができる。例えば、表面７０を、図１０に示すように、ハウジング１２の底面５６から僅かに引っ込めて、シール６２の十分な圧縮を可能にするとともに、カバー５８によって、ハウジング１２が必要以上に火器２０の上面２２から不必要に張り出すのを防止することができる。
【００３０】
ハウジング１２は、内部に照明系１６の一部を収める凹部７２と、実質的に円柱状のバッテリ７６を収める実質的に円柱状ボア７４（図３及び図７）とを有することができる。キャップ７８を、ケーブル８０を介してハウジング１２に係留することができ、円柱状ボア７４内にバッテリ７６が配置されると円柱状ボア７４にねじ込み式に取り付けることができる。具体的には、工具（図示せず）が溝穴８２に係合することができ、及び／又はキャップ７８の一連のリブ８４に力を加えることができ、それにより、キャップ７８を回転させ円柱状ボア７４においてハウジング１２に取り付けることによって、バッテリ７６を円柱状ボア７４内に保持する。
【００３１】
ポート８６を円柱状ボア７４に隣接して配置することができ、ハウジング１２に形成されたボア８８（図８）を介してハウジング１２の内部空間３２と流体連通させることができる。ボア８８は、概してポート８６と内部空間３２との間に延在して、ポート８６が内部空間３２と連通するのを可能にすることができる。ポート８６は、ねじ切り部９０と、実質的先細り端部９２と、ねじ切り部９０と先細り端部９２との間に延在する実質的円柱状部分９４とを有することができる。
【００３２】
特に図５及び図６を参照すると、光学列１４は、ハウジング１２の第２端部３０に近接して配置された接眼レンズ９６と、ハウジング１２の第１の端部２８に近接して配置されたくさび形ダブレット対物レンズ９８とを含むように示されている。くさび形ダブレット対物レンズ９８を、球面レンズ又は非球面レンズとすることができる。
【００３３】
接眼レンズ９６を、ハウジング１２の第２の端部３０に収めることができ、シール１００を介してハウジング１２に対して封止することができる。ハウジング１２に設置されシール１００に係合すると、カラー４４は、接眼レンズ９６に当接するまでハウジング１２のねじ山４２と係合することができる。カラー４４が接眼レンズ９６と接触するまで、カラー４４をハウジング１２の長手方向軸１０２に沿って移動させることができるように、カラー４４に回転力を加えることができる。カラー４４が接眼レンズ９６と係合すると、接眼レンズ９６はハウジング１２内に適所に設置され、その中でカラー４４によって保持される。
【００３４】
くさび形ダブレット対物レンズ９８を、ハウジング１２に対してくさび形ダブレット対物レンズ９８を支持するハウジング１０４内に収めることができる。ハウジング１０４は、くさび形ダブレット対物レンズ９８をハウジング１２の長手方向軸１０２に対して所望の角度（θ）で位置決めする、内面１０６（図５及び図６）を有する角度付き円筒穴を備えることができる。くさび形ダブレット対物レンズ９８を、概して内面１０６とくさび形ダブレット対物レンズ９８との間に配置することができるシール１０８を介して、ハウジング１０４に対して封止することができる。くさび形ダブレット対物レンズ９８がハウジング１０４に組み付けられると、ハウジング１０４及びくさび形ダブレット対物レンズ９８は、ハウジング１２内に設置される用意ができる。
【００３５】
ハウジング１０４及びくさび形ダブレット対物レンズ９８を設置する前に、まず、外部ねじ切り部１１２及び一連のキー開口部１１４を有する調整カラー１１０がハウジング１２に設置される。具体的には、調整カラー１１０を、第１の端部２８においてハウジング１２に挿入することができ、調整カラー１１０は、ハウジング１２の一連のねじ山１１６と係合することができる。
【００３６】
調整カラー１１０の設置に続いて、ハウジング１０４及びくさび形ダブレット対物レンズ９８を、第１の端部２８においてハウジング１２に挿入することができる。具体的には、シール１１８（図５及び図６）を、ハウジング１０４の溝１２０（図７）内に収めることができ、シール１１８は、ハウジング１２の内面１２２と係合して、ハウジング１０４及びハウジング１２の連結面を封止することができる。ハウジング１０４を、概して第１の端部２８においてハウジング１２に挿入することができ、ハウジング１２内で、ハウジング１２の長手方向軸１０２に対して実質的に平行でありかつそれに沿った方向に概して調整カラー１１０に向かって並進させることができる。
【００３７】
ハウジング１０４が設置されると、第１のカラー３８がハウジング１０４に当接するまで、第１のカラー３８をハウジング１２の第１の端部２８内に挿入することができる。この時点で、第２のカラー４０は、ハウジング１２のねじ山３６に係合することができ、第２のカラー４０が第１のカラー３８と係合して第１のカラー３８、ひいてはハウジング１０４をハウジング１２に対して所望の位置に保持するまで、第２のカラー４０をハウジング１２に対して回転させることができる。具体的には、第２のカラー４０への回転力の印加を促進するために、第２のカラー４０の一連の切取部１２４（図７）に対して力を加えることができる。第２のカラー４０が、第１のカラー３８を十分に長手方向軸１０２に対して実質的に平行でありかつそれに沿った方向に向かわせハウジング１０４と係合させるまで、第２のカラー４０をハウジング１２に対して回転させることができる。ハウジング１０４ひいてはくさび形ダブレット対物レンズ９８は、第１のカラー３８と第２のカラー
４０との間の係合とともにハウジング１０４と第１のカラー３８との間の係合により、ハウジング１２の長手方向軸１０２に沿った所望の位置で保持される。
【００３８】
図９を特に参照すると、くさび形ダブレット対物レンズ９８は、第１のレンズ１２６及び第２のレンズ１２８を含む。第１のレンズ１２６を、適切な接着剤１３０を介して第２のレンズ１２８に接合することができる。例えば、第１のレンズ１２６を光学的に透明なセメントを介して第２のレンズ１２８に接合することができる。第２のレンズ１２８に第１のレンズ１２６を組み付ける前に、第１のレンズ１２６及び第２のレンズ１２８の接合部において第１のレンズ１２６に及び／又は第２のレンズ１２８に反射コーティング１３２を施すことができる。反射コーティング１３２は、照明系１６と協働して被照明照準点２４を生成することができる。具体的には、照明系１６のスペクトル出力は、第１のレンズ１２６及び第２のレンズ１２８の接合部において第１のレンズ１２６及び第２のレンズ１２８の一方又は両方に施される反射コーティングの選択的スペクトル反射率とオーバーラップして、照明系１６によって生成される光が反射コーティング１３２から投影して被照明照準点２４を生成し、それにより、被照明照準点２４が視差を最小限にするように指定された目標距離から発生するように見えるのを可能にするようにすることができる。
【００３９】
第１のレンズ１２６は、幅（Ｄ１）を有するウェッジを有することができる。同様に、第２のレンズ１２８は、概して、くさび形ダブレット対物レンズ９８の第１のレンズ１２６のウェッジとは反対側の端部に配置された、幅（Ｄ２）を有するウェッジを備えることができる。第１のレンズ１２６の幅（Ｄ１）を、第２のレンズ１２８の幅（Ｄ２）とは異ならせることができ、又は、代替的に、第１のレンズ１２６の幅（Ｄ１）を、第２のレンズ１２８の幅（Ｄ２）と同じにすることができる。第１のレンズ１２６及び第２のレンズ１２８が異なる幅（Ｄ１、Ｄ２）を有するか否かに関らず、第１のレンズ１２６及び第２のレンズ１２８は、異なる量のウェッジを有し、このことは、異なる角度を有すること及び／又は異なる縁部の厚さを有することによって達成することができる。
【００４０】
第１のレンズ１２６は、内半径（Ｒ１）及び外半径（Ｒ２）を有している。同様に、第２のレンズ１２８は、外半径（Ｒ３）及び内半径（Ｒ４）を有している。組み立てられると、第１のレンズ１２６の内半径（Ｒ１）は第２のレンズ１２８の外半径（Ｒ３）と対向する。第１のレンズ１２６の内半径（Ｒ１）は、第２のレンズ１２８の外半径（Ｒ３）と同じであり、それにより、第１のレンズ１２６を、内半径（Ｒ１）及び外半径（Ｒ３）において第２のレンズ１２８に適切に取り付けることができる。内半径（Ｒ１）及び外半径（Ｒ３）は同じであるが、第１のレンズ１２６の外半径（Ｒ２）及び第２のレンズ１２８の内半径（Ｒ４）は、視差を最小限にするのに役立つように、かつくさび形ダブレット対物レンズ９８の屈折力又は集束力を最小限にするのに役立つように、異なる曲率半径を有することができる。さらに、レンズ１２６、１２８は、異なる屈折率を有することができる。異なる屈折率を、各々が異なる屈折率を有する異なる材料からレンズ１２６、１２８を製造することによって達成することができる。ハウジング１０４及びくさび形ダブレット対物レンズ９８がハウジング１２に設置されると、第１のレンズ１２６及び第２のレンズ１２８は、光軸１３４に対して角度（θ）で配置される。
【００４１】
特に図５、図６及び図１０を参照すると、調整機構１８は、調整器ブロック１３６、付勢部材１３８及び調整ねじ１４０を有するように示されている。拡張部４６の空洞４８内に、調整器ブロック１３６、付勢部材１３８及び調整ねじ１４０を配置することができ、それらは、ハウジング１２に対して照明系１６の一部を選択的に位置決めすることができる。具体的には、調整器ブロック１３６の先細り面１４２がハウジング１２の先細り面１４４と対向して、ハウジング１２に対する調整器ブロック１３６の動きの方向を規定し、及び／又はハウジング１２に対して調整器ブロック１３６を支持するように、調整器ブロック１３６を空洞４８内に位置決めすることができる。調整器ブロック１３６は、調整ね
じ１４０を内部にねじ込み式に収めるねじ切り穴１４６を有することができる。ねじ切り穴１４６に隣接してポケット１４８を配置することができ、ポケット１４８は、付勢部材１３８の一部を内部に収めることができる。
【００４２】
調整ねじ１４０は、拡張部４６の後方傾斜面５２に形成された穴５０内に挿入される。具体的には、調整ねじ１４０は、穴５０内に挿入され、その中でスナップリング１５０を介して保持されることができる。スナップリング１５０は、穴５０内に調整ねじ１４０を保持し、同時に、調整ねじ１４０が穴５０に対して回転するのを可能にする。
【００４３】
上述したように、付勢部材１３８は、調整器ブロック１３６のポケット１４８内に少なくとも部分的に収められる。したがって、付勢部材１３８は、概して調整器ブロック１３６の上面１５２から延在し、ハウジング１２の凹部１５４内に収められる。したがって、付勢部材１３８は、調整器ブロック１３６のポケット１４８によって一端において保持され、ハウジング１２の凹部１５４によって第２の端部において保持される。付勢部材１３８は、調整器ブロック１３６の先細り面１４２及びハウジング１２の先細り面１４４に対して実質的に平行な方向（Ｚ）において調整器ブロック１３６に力をかける。付勢部材１３８は、調整器ブロック１３６に対する方向（Ｚ）における力を維持する役割を果たす。それにより、付勢部材１３８は、ハウジング１２に対する調整ねじ１４０の所望の位置が達成されると、方向（Ｚ）における調整器ブロック１３６の調整された位置を維持するのに役立つ。
【００４４】
調整器ブロック１３６を、照明系１６の一部に摺動可能に取り付けて、調整器ブロック１３６が、調整器ブロック１３６が方向（Ｚ）に沿って移動するときに照明系１６の位置を調整するのを可能にすることができる。具体的には、調整器ブロック１３６を照明系１６の支持プレート１５７に摺動可能に取り付けて、方向（Ｚ）における調整器ブロック１３６の移動により（調整ねじ１４０に加えられる回転力を介して）、方向（Ｚ）における支持プレート１５７の同時の移動をもたらすことができる。
【００４５】
支持プレート１５７に一対のスライダーブロック１５６を摺動可能に取り付けて、調整器ブロック１３６が方向（Ｚ）に移動するときに支持プレート１５７が方向（Ｚ）に移動するのを可能にすることができる。スライダーブロック１５６と支持プレート１５７との間の相互作用は、さらに、調整ねじ１４０に回転力が加えられたときに支持プレート１５７、ひいては調整器ブロック１３６の方向（Ｚ）における移動を案内する役割を果たすことができる。
【００４６】
スライダーブロック１５６は、調整ねじ１５８及び付勢部材１６０と協働して、図３に示すように方向（Ｘ）における照明系１６の位置を調整することができる。具体的には、ハウジング１２に対する調整ねじ１５８の回転によってスライダーブロック１５６のうちの一方に力がかけられ、そのスライダーブロック１５６のうちの一方が、加えられた力を支持プレート１５７に伝達する。支持プレート１５７は、各スライダーブロック１５６（図１０）のチャネル１５９内で両スライダーブロック１５６と接触して保持されるため（付勢部材１６０によってそこにかけられる付勢力により）、調整ねじ１５８の回転によってもたらされるスライダーブロック１５６のうちの一方の移動により、他方のスライダーブロック１５６及び支持プレート１５７の同時の移動がもたらされる。方向（Ｘ）における支持プレート１５７の移動により、後により詳細に説明するように、方向（Ｘ）における照明系１６の調整がもたらされる。
【００４７】
特に図５、図７及び図１０を参照すると、照明系１６は、光電池１６２、発光ダイオード（ＬＥＤ）１６４及びコントローラー１６６を含むように示されている。光電池１６２を、ハウジング１２の頂部に近接して位置決めすることができ、かつ概して凹部７２内に
配置することができる。光電池１６２は、ハウジング１２を概して包囲する周囲光からのエネルギーを利用することができ、ＬＥＤ１６４に電力を供給するために光エネルギーを電気エネルギーに変換することができる。光電池１６２は、凹部７２内に配置することができ、使用中に光電池１６２を保護するカバー１６８を備えることができる。カバー１６８を、太陽光が凹部７２に入り光電池１６２によって受け取られるのを可能にする実質的に光学的に透明な材料から形成することができる。光電池１６２を、概してカバー１６８と凹部７２の底面１７２との間に配置されるシール１７０を介して、周囲条件から封止することができる。
【００４８】
光電池１６２を、ＬＥＤ１６４用の一次かつデフォルト電源とすることができ、バッテリ７６を、二次電源又はバックアップ電源とすることができる。言い換えれば、電力は、バッテリ７６から電力を供給する前に、最初に光電池１６２からＬＥＤ１６４に供給される。バッテリ７６は同様に、光電池１６２とともに又はその代りにＬＥＤ１６４に電力を供給することができるが、光電池１６２からの電力がＬＥＤ１６４を所望の明るさで照明するのに不十分である場合にのみ、バッテリ７６からの電力を使用することができる。
【００４９】
ＬＥＤ１６４を、ハウジング１２に対する支持プレート１５７の移動が同様にハウジング１２に対するＬＥＤ１６４の移動をもたらすように、支持プレート１５７によって支持することができる。具体的には、ＬＥＤ１６４は、調整器ブロック１３６の先細り面１４２とは反対側において支持プレート１５７に取り付けることができ、方向（Ｚ）において調整器ブロック１３６とともに移動するように固定される。したがって、調整ねじ１４０がハウジング１２に対して回転し、それにより、方向（Ｚ）におけるハウジング１２に対する調整器ブロック１３６及び支持プレート１５７の移動がもたらされると、ＬＥＤ１６４は、方向（Ｚ）においてハウジング１２に対して同様に移動する。さらに、支持プレート１５７が調整器ブロック１３６に摺動可能に取り付けられ、調整ねじ１５８がハウジング１２に対して回転するときの方向（Ｘ）における支持プレート１５７の移動を可能にするため、調整ねじ１５８の回転により、方向（Ｘ）におけるＬＥＤ１６４の移動がもたらされる。
【００５０】
ハウジング１２に対するＬＥＤ１６４の移動により、同様に、ＬＥＤ１６４の光出力がハウジング１２に対して移動し、異なる位置においてくさび形ダブレット対物レンズ９８の反射コーティング１３２と接触する。異なる位置で反射コーティング１３２と接触することにより、視野２６内の被照明照準点２４の位置が変化し、射手が、特定の火器２０、弾薬及び目標範囲に対して被照明照準点２４を較正することができる。
【００５１】
ＬＥＤ１６４を、ＬＥＤ１６４がハウジング１２に対して方向（Ｚ）及び方向（Ｘ）において支持プレート１５７とともに移動するように支持プレート１５７に取り付けられるように説明し図示するが、ＬＥＤ１６４は、支持プレート１５７の位置に関らず視野２６の外側の位置に常に配置される。その結果、ＬＥＤ１６４からの光は、ＬＥＤ１６４からの光が光軸１３４に沿って移動し視野２６内に被照明照準点２４を生成することができるように、くさび形ダブレット対物レンズ９８の傾きの角度（θ）に対して実質的に垂直に移動しなければならない。
【００５２】
コントローラー１６６を、概してハウジング１２の底部にかつ開口部５４内に収めることができる。コントローラー１６６は、バッテリ７６、光電池１６２、ＬＥＤ１６４及びボタン１８０の各々と通信することができる。後により詳細に説明するように、コントローラー１６６は、使用者の入力に基づいてＬＥＤ１６４に供給される電力の量を制御することにより、被照明照準点２４の明るさを制御することができる。
【００５３】
特に図５〜図８を参照して、反射照準器１０の組立て、設置及び動作について詳細に説
明する。組立て中、調整カラー１１０は、第１の端部２８においてハウジング１２内に収められ、ハウジング１２の内部空間３２内に概して配置されたねじ山１１６と係合する。調整カラー１１０をハウジング１２に対して回転させるように調整カラー１１０に回転力を加えることができ、それにより、調整カラー１１０がハウジング１２の長手方向軸１０２に対して実質的に平行かつそれに沿った方向に並進する。ハウジング１２に対する調整カラー１１０の回転を容易にするために、回転力を、調整カラー１１０のキー開口部１１４において調整カラー１１０に加えることができる。
【００５４】
キー開口部１１４へのアクセスを、凹部７２の底面１７２に形成された溝１７６を介して達成することができる。具体的には、工具（図示せず）を溝１７６内に挿入することができ、工具は、調整カラー１１０のキー開口部１１４に係合して調整カラー１１０に回転力を加えることができ、それにより調整カラー１１０がハウジング１２に対して回転し所望の位置まで並進する。調整カラー１１０がハウジング１２に対して所望の位置になると、溝１７６から工具を取り除くことができる。
【００５５】
調整カラー１１０の挿入に続いて、ハウジング１０４を第１の端部２８においてハウジング１２内に挿入することができる。ハウジング１０４はくさび形ダブレット対物レンズ９８を支持するため、レンズ９８は、同様に、第１の端部２８においてハウジング１２内にハウジング１０４とともに挿入される。ハウジング１０４を、調整カラー１１０と接触するまで、ハウジング１２の長手方向軸１０２に沿って並進させることができる。この時点で、第１のカラー３８を、ハウジング１０４と接触するまで第１の端部２８においてハウジング１２内に挿入することができる。第２のカラー４０は、その後、第１の端部２８においてハウジング１２内に挿入することができ、ハウジング１２のねじ山３６と係合して、ハウジング１２の長手方向軸１０２に沿った所望の位置で第１のカラー３８、ハウジング１０４及び調整カラー１１０を固定することができる。具体的には、第２のカラー４０の回転、ひいては長手方向軸１０２に沿った方向における、第１のカラー３８、ハウジング１０４及び調整カラー１１０に向かう第２のカラー４０の同時の並進を容易にするために、切取部１２４において第２のカラー４０に回転力を加えることができる。
【００５６】
ハウジング１２の第２の端部３０において接眼レンズ９６を収めることができ、接眼レンズ９６は、肩部１８８（図６）と係合して、長手方向軸１０２に沿った方向においてハウジング１２に対して接眼レンズ９６を適切に位置決めすることができる。接眼レンズ９６が肩部１８８と接触すると、カラー４４の設置の前に、シール１００が、接眼レンズ９６を肩部１８８に接触した状態で維持することができる。ハウジング１２の第２の端部３０にカラー４４を挿入することができ、カラー４４はハウジング１２のねじ山４２と係合することができ、それにより、カラー４４は、接眼レンズ９６と接触するまで調整カラー１１０に実質的に向かう方向に並進する。
【００５７】
コントローラー１６６を、ハウジング１２の開口部５４内に収めることができ、バッテリ７６、光電池１６２及びＬＥＤ１６４との通信を容易にするように位置決めすることができる。コントローラー１６６は、締結具１９０（図６）によってハウジング１２内に支持することができ、カバー５８が締結具６０を介してハウジング１２に設置されると見えなくなる。
【００５８】
反射照準器１０の組立てが完了し、照明系１６がくさび形ダブレット対物レンズ９８に被照明照準点２４を生成することができるようになると、ハウジング１２の長手方向軸１０２に沿ったハウジング１０４の位置を、調整カラー１１０を回転させることによって調整することができる。具体的には、上述したように、ハウジングを接眼レンズ９６に向かうか又は離れるように移動させるように調整カラー１１０をハウジングに対して回転させるために、溝１７６内に工具を挿入することができる。
【００５９】
調整カラー１１０の移動により、同様に、長手方向軸１０２に沿ったハウジング１０４の位置、したがって長手方向軸１０２に沿ったくさび形ダブレット対物レンズ９８の位置が変化する。こうした移動を、反射照準器１０の視差を最小限にしようとして構成部品のばらつき及び／又は累積公差を考慮して行うことができる。要するに、カラー１１０及びハウジング１０４の調整を可能にすることにより、同時に、照準器１０に可能な最小限の量の視差が提供され、反射照準器１０の個々の構成部品の製造及び組立ての融通性が提供される。
【００６０】
調整カラー１１０がハウジング１２の第１の端部２８に向かって移動するのに十分な隙間を提供し、ハウジング１０４及び第２のカラー４０の移動を同様にもたらすために、調整カラー１１０の回転の前に、第２のカラー４０を、取り除くか又は少なくともハウジング１２の第１の端部２８により近接して配置しなければならない。調整カラー１１０がハウジング１０４ひいてはくさび形ダブレット対物レンズ９８をハウジング１２の長手方向軸１０２に沿った所望の位置まで移動させると、第２のカラー４０を、概して調整カラー１１０に向かって再度移動させることができる。第２のカラー４０を、ハウジング１２に対して再度回転させることができ、ハウジング１０４と調整カラー１１０との間の係合を維持するように長手方向軸１０２に沿って第１のカラー３８と係合するように移動させることができ、それによりハウジング１２に対してハウジング１０４の位置が固定される。
【００６１】
光学列１４がハウジング１２に設置され、内部空間３２が封止されると、ねじ切りプラグ１８２がポート８６のねじ切り部９０と係合することができる。具体的には、プラグ１８２をポート８６のねじ切り部９０内に挿入するために、ねじ切りプラグ１８２に回転力を加えることができる。ねじ切りプラグ１８２は、概してねじ切りプラグ１８２の遠位端部とポート８６の先細り端部９２との間に配置されたシール１８４と係合することができる。ねじ切りプラグ１８２とシール１８４との間の係合により、シール１８４がポート８６の先細り端部９２と係合し、シール１８４がボア８８の開口部１９６を圧縮し完全に封止することができる。
【００６２】
一構成では、シール１８４は、実質的に球形状を有し、任意の弾性材料から形成することができる。例えば、シール１８４を、ねじ切りプラグ１８２を挿入する前にポート８６内に配置されるブタジエンアクリルニトリルゴムボールとすることができる。ねじ切りプラグ１８２がねじ切り部９０内に挿入されると、ブタジエンアクリルニトリルゴムボールは、ボア８８の開口部１９６と係合し、プラグ１８２及びポート８６のねじ込み係合によって適所に保持される。
【００６３】
ねじ切りプラグ１８２の内部を通して、シール１８４の一部を露出させる通路１９８を形成することができる。組立て中、通路１９８内に注入針（図示せず）を挿入することができ、注入針はシール１８４を突き刺すことができる。シール１８４に対して針が十分に移動すると、針は、シール１８４を通過し、開口部１９６に近接するボア８８と流体連通することができる。この時点で、針を使用して、ハウジング１２の内部空間３２内から流体を排出し、及び／又は排出された流体を窒素ガス（Ｎ２）又は他の乾燥した不活性ガスに置き換えることができる。内部空間３２から空気を排出することにより、ハウジング１２内の湿気が低減するとともに、排出された空気を乾燥した不活性ガスに置き換えることにより、使用中の光学列１４の曇りがなくなり、それにより反射照準器１０の可視性が向上する。
【００６４】
流体及び湿気が内部空間３２から排出され、内部空間３２が乾燥した不活性ガスで充填されると、針をシール１８４からかつ通路１９８から取り除くことができる。シール１８４が、シール１８４から針を取り除く際にボア８８を自動的に封止する弾性材料から形成
されているため、乾燥した不活性ガスは、ボア８８を介して内部空間３２から漏れ出ることができない。具体的には、シール１８４の弾性材料は、製造中に針によってシール１８４に形成されたいかなる穴も迅速に閉鎖し、したがって、ハウジング１２の内部空間３２の封止性を維持する。
【００６５】
組み立てられると、反射照準器１０を、ハウジング１２の表面５６に形成された一連のねじ切り穴１９２を介して取付アダプタ（図示せず）にねじ込み式に取り付けることができる。取付アダプタに取り付けられると、反射照準器１０を、火器２０に関連する嵌合レール（図示せず）に配置することができる。
【００６６】
反射照準器１０を火器２０に設置すると、照明系１６ひいては被照明照準点２４の較正を行って、被照明照準点２４を火器２０の銃身（図示せず）に適切に位置合せすることができる。具体的には、射手は、照明系１６を作動させるために、ハウジング１２の側面に配置されたボタン１８０を押下することができる。作動すると、ボタン１８０を押下して、照準点２４の明るさを調整するように照明系１６に供給される電力の量を制御することができる。
【００６７】
上述したように、光電池１６２及びバッテリ７６の一方又は両方からＬＥＤ１６４に電力が供給される。照明系１６は、バッテリ７６によって蓄積された電力を節約しようとして、デフォルトで光電池１６２からＬＥＤ１６４に電力を供給することができる。周囲光条件が、光電池１６２が所望の明るさで照準点２４を照明するために十分な電力をＬＥＤ１６４に提供することができないようなものである場合に、バッテリ７６からの電力を使用して、光電池１６２によって供給される電力を補充することができる。
【００６８】
被照明照準点２４は、概して視野２６内に位置し、被照明照準点２４を火器２０の銃身に位置合せするようにエレベーション及びウィンデージに対して調整することができる。具体的には、被照明照準点２４の視野２６内でのエレベーションを調整するように調整器ブロック１３６、ひいては支持プレート１５７及びＬＥＤ１６４を方向（Ｚ）において移動させるように、調整機構１８の調整ねじ１４０に回転力を加えることができる。さらに又は代替的に、ウィンデージを考慮して支持プレート１５７したがってＬＥＤ１６４を方向（Ｘ）において移動させるように、調整ねじ１５８に回転力を加えることができる。
【００６９】
ハウジング１２に対する支持プレート１５７の移動により、同様に、ハウジング１２に対するＬＥＤ１６４の移動がもたらされ、それにより、くさび形ダブレット対物レンズ９８に対するＬＥＤ１６４の位置が変化する。くさび形ダブレット対物レンズ９８に対するＬＥＤ１６４の位置が変化することにより、同様に、ＬＥＤ１６４からの光がくさび形ダブレット対物レンズ９８の反射コーティング１３２に接触する位置がもたらされ、したがって視野２６内の被照明照準点２４の位置が変化する。
【００７０】
方向（Ｚ）は、くさび形ダブレット対物レンズ９８の角度（θ）に対して実質的に平行であり、ＬＥＤ１６４からの光の移動の方向に対して実質的に垂直である。したがって、調整器ブロック１３６が方向（Ｚ）において移動すると、ＬＥＤ１６４は、調整器ブロック１３６及び支持プレート１５７とともに方向（Ｚ）に移動するのみでなく、くさび形ダブレット対物レンズ９８の角度（θ）に対して実質的に平行な方向にも移動する。
【００７１】
被照明照準点２４の照明の強度を、実質的にハウジング１２に側面に位置するボタン１８０のうちの１つ又は複数を押下することによって調整することができる。具体的には、コントローラー１６６は、ボタン１８０が押下されるとＬＥＤ１６４に供給される電力の量を調整し、それにより、ＬＥＤ１６４によって生成される光が使用者の入力に基づいて増大するか又は低減するように、ボタン１８０と通信することができる。
【００７２】
射手が、被照明照準点２４が火器２０の銃身に位置合せされたことに満足すると、ハウジング１２に対する支持プレート１５７、ひいてはＬＥＤ１６４の位置は、調整ねじ１４０、１５８と協働して、付勢部材１３８、１６０を介して調整器ブロック１３６及びスライダーブロック１５６にかけられる力によって維持される。
【００７３】
実質的に２８ｍｍに等しい直径の開口によって視野２６を達成することができ、それにより、目標物を見る広い開口部が射手に提供される。広い視野は、各々が異なる量のウェッジ、異なる曲率半径（Ｒ２、Ｒ４）及び異なる屈折率を有する第１のレンズ１２６及び第２のレンズ１２８を有するくさび形ダブレット対物レンズ９８を提供することによって達成される。さらに、レンズ１２６、１２８を接眼レンズ９６から短い距離に配置することにより、視野２６のサイズを増大させることもできる。要するに、くさび形ダブレット対物レンズ９８の上述した特性により、レンズ９８をより大きい程度まで傾斜させることが可能になり（すなわち、長手方向軸１０２に対して小さい傾斜角度（θ）を有する、図５及び図６）、それにより、視差を増大させることなく短い焦点距離が可能になる。
【００７４】
光軸１３４の焦点距離を短くすることにより、同様に光学列１４が短くなり、それにより、ハウジング１２ひいては反射照準器１０の全体的なサイズが最小限になる。より詳細には、視差はレンズ傾き（すなわちレンズ角度）及び焦点距離の関数であるため、焦点距離が、光学列１４の長さひいてはハウジング１２のサイズを低減しようとして短くなると、光学列１４のくさび形ダブレット対物レンズ９８はより傾斜する必要がある（すなわち、角度（θ）が、長手方向軸１０２に対してより小さくなる必要がある）。くさび形ダブレット対物レンズ９８の角度（θ）が低減することにより、通常、視差が増大する。しかしながら、くさび形ダブレット対物レンズ９８が、異なる量のウェッジ、異なる曲率半径及び異なる屈折率を有する第１のレンズ１２６及び第２のレンズ１２８を含むため、さらに、各レンズ１２６、１２８が光軸１３４から中心がずれているため、反射照準器１０の視差の量を、焦点距離、光学列及び全体的な照準器長が実質的により長い従来の球面レンズ光学系に匹敵するレベルで維持することができる。
【００７５】
実施形態の上述の記載は例示及び説明のために提示されている。本開示を排他的にするか又は限定することは意図しない。特定の実施形態の個々の要素又は特徴は概して、その特定の実施形態に限定されないが、適用可能な場合、具体的に図示又は説明がされていないとしても、入れ替え可能であり、選択された実施形態において用いることができる。特定の実施形態の個々の要素又は特徴を多くの方法で変えることもできる。そのような変形は、開示から逸脱するものとしてみなされるべきではなく、そのような変形が全て開示の範囲内に含まれることを意図する。
【図１】
2014528051.tif 000003
【図２】
2014528051.tif 000004
【図３】
2014528051.tif 000005
【図４】
2014528051.tif 000006
【図５】
2014528051.tif 000007
【図６】
2014528051.tif 000008
【図７】
2014528051.tif 000009
【図８】
2014528051.tif 000010
【図９】
2014528051.tif 000011
【図１０】
2014528051.tif 000012
【手続補正書】
【提出日】平成26年5月1日(2014.5.1)
【手続補正１】
【補正対象書類名】特許請求の範囲
【補正対象項目名】全文
【補正方法】変更
【補正の内容】
【特許請求の範囲】
【請求項１】
光学照準器であって、
ハウジングと、
前記ハウジングによって支持される光学列と、
前記光学列の照準点を選択的に表示するように動作可能な照明装置と、
光電池及びバッテリを含む電源であって、該電源は、前記照明装置が前記照準点を生成する際に使用するように、前記光電池及び前記バッテリのうちの少なくとも１つから前記照明装置に選択的に電力を供給し、前記照明装置は、前記バッテリから電力を供給する前に前記光電池から利用可能なだけの電力を提供する、電源と、
を具備する、光学照準器。
【請求項２】
前記ハウジングによって支持され、かつ第１の量のウェッジを有する第１のレンズと、該第１の量のウェッジとは異なる第２の量のウェッジを有する第２のレンズとを含む、くさび形ダブレット対物レンズと、
を具備する、請求項１に記載の光学照準器。
【請求項３】
前記くさび形ダブレット対物レンズは球面レンズ及び非球面レンズの一方である、請求項２に記載の光学照準器。
【請求項４】
前記第１のレンズは、前記第２のレンズとは異なる材料から形成されている、請求項２に記載の光学照準器。
【請求項５】
前記第１のレンズは、前記第２のレンズとは異なる屈折率を有する、請求項１〜４のいずれか１項に記載の光学照準器。
【請求項６】
前記第１のレンズは、光学接着剤を介して前記第２のレンズに取り付けられている、請求項２に記載の光学照準器。
【請求項７】
前記光学接着剤は光学的に透明なセメントである、請求項６に記載の光学照準器。
【請求項８】
前記第１のレンズ及び前記第２のレンズのうちの少なくとも一方は、該第１のレンズ及び該第２のレンズの接続部に反射コーティングを含む、請求項１〜７のいずれか１項に記載の光学照準器。
【請求項９】
前記第１のレンズは第１の曲率半径を有し、前記第２のレンズは、前記第１の曲率半径とは異なる第２の曲率半径を有する、請求項１〜８のいずれか１項に記載の光学照準器。
【請求項１０】
前記第１の曲率半径及び前記第２の曲率半径は、各々、前記ハウジングを通る光軸からずれている、請求項９に記載の光学照準器。
【請求項１１】
前記くさび形ダブレット対物レンズは、前記ハウジングの長手方向軸に対して角度をなして配置されている、請求項１〜１０のいずれか１項に記載の光学照準器。
【請求項１２】
前記くさび形ダブレット対物レンズは、前記ハウジングの長手方向軸に沿って並進可能である、請求項１〜１１項のいずれか１項に記載の光学照準器。
【請求項１３】
前記照明装置は、前記光電池からの電力が該照明装置によって必要とされる要求電圧を下回るまで前記光電池から電力を供給する、請求項１に記載の光学照準器。
【請求項１４】
前記照明装置は、前記光電池からの前記電力が前記要求電圧を下回ると、前記光電池によって供給される前記電力を補充するように前記バッテリから電力を供給する、請求項１３に記載の光学照準器。
【請求項１５】
光学照準器であって、
長手方向軸を有するハウジングと、
前記ハウジングによって支持されかつ少なくとも１つのレンズを含む光学列と、
前記ハウジング内に配置され、かつ前記長手方向軸に沿って前記ハウジングに対して選択的に移動可能な第１のカラーであって、該第１のカラーが前記ハウジングに対して移動すると、前記長手方向軸に沿って前記少なくとも１つのレンズの位置を調整するように前記ハウジングに対して前記少なくとも１つのレンズを移動させるように動作可能な第１のカラーと、
を具備する、光学照準器。
【請求項１６】
前記第１のカラーは、前記ハウジングにねじ込み式に取り付けられ、かつ前記ハウジングに対して該第１のカラーを回転させることによって前記長手方向軸に沿って移動する、請求項１５に記載の光学照準器。
【請求項１７】
前記少なくとも１つのレンズは、前記ハウジング内に摺動可能に支持され、かつ前記第１のカラーが前記ハウジングに対して回転すると該第１のカラーとともに移動する、請求項１６に記載の光学照準器。
【請求項１８】
前記少なくとも１つのレンズは、レンズハウジングによって前記ハウジング内に摺動可能に支持されている、請求項１７に記載の光学照準器。
【請求項１９】
前記レンズハウジングは、前記第１のカラーが前記ハウジングに対して移動すると、前記第１のカラーが前記少なくとも１つのレンズを前記長手方向軸に沿って移動させるのを可能にするように、該第１のカラーと当接関係にある、請求項１８に記載の光学照準器。
【請求項２０】
前記ハウジング内に、かつ前記レンズハウジングと選択的に係合して配置された第２の
カラーを更に具備し、該第２のカラーは、前記レンズハウジングの前記第１のカラーとは反対側の端部と接触して、前記第１のカラーと前記第２のカラーとの間で前記少なくとも１つのレンズを位置決めする、請求項１８に記載の光学照準器。
【国際調査報告】
2014528051.tif 000013
2014528051.tif 000014